(57)【特許請求の範囲】
【請求項１】
オーディオソースとビジュアルソースとを再生可能とするＡＶ機器において、
サイマルプレイモードの設定を指示するボタン手段と、
モニターに出力するビジュアルソースを選択する第１の切換手段と、
上記第１の切換手段とは独立に動作して、スピーカに出力するオーディオソースを選択する第２の切換手段と、
オーディオソースの選択が検出されるときに、サイマルプレイモードが設定されている場合には、上記第１の切換手段の選択するビジュアルソースに関係なく、上記第２の切換手段がその検出されるオーディオソースを選択するようにと制御する制御手段とを備え、
上記制御手段は、ビジュアルソースの選択が検出されるときに、サイマルプレイモードの設定・非設定に関係なく、上記第１の切換手段がその検出されるビジュアルソースを選択するように制御するとともに、上記第２の切換手段がそのビジュアルソースに対応付けられるオーディオソースを選択するように制御する
ＡＶ機器。
【請求項２】
上記制御手段は、ビジュアルソースの選択が検出されるときに、サイマルプレイモードが設定されている場合には、サイマルプレイモードを強制的に解除する請求項１記載のＡＶ機器。
【請求項３】
サイマルプレイモードが設定されているのか否かを表示するインジケータ手段を備える請求項１又は２記載のＡＶ機器。
【発明の詳細な説明】
【０００１】
【発明の属する技術分野】
本発明は、オーディオソースとビジュアルソースとを再生可能とするＡＶ機器に関し、特に、互いに関係しない映像と音とを同時に出力するサイマルプレイを可能にするＡＶ機器に関する。
【０００２】
【従来の技術】
ＴＶで野球中継を見ながら、ラジオを使ってＡＭラジオ放送を聞くといったようなことが行われているが、オーディオソースとビジュアルソースとを１台で再生可能とする従来のＡＶ機器では、このようなサイマルプレイを実現する機能を持っていない。
【０００３】
すなわち、従来のＡＶ機器では、ユーザがＴＶなどのビジュアルソースを選択すると、その選択されたビジュアルソースの映像をモニターに出力するとともに、その選択されたビジュアルソースの音をスピーカに出力するという構成を採っており、互いに関係しないビジュアルソースの映像とオーディオソースの音とを同時に出力するという機能については持っていないのである。
【０００４】
これは、従来のＡＶ機器が、図７に示すような回路構成を使ってビジュアルソースとオーディオソースとを選択していることに、その理由がある。
【０００５】
すなわち、従来のＡＶ機器では、この図に示すように、ビジュアルソースとそれに対応付けられるオーディオソースとを連動させて選択して、その選択したビジュアルソースをモニターに出力するとともに、その選択したオーディオソースを出力する第１のスイッチ回路１００と、ビジュアルソース以外のオーディオソースを選択する第２のスイッチ回路２００と、ビジュアルソースが選択されているときには、第１のスイッチ回路１００の出力するオーディオソースを選択してスピーカに出力し、ビジュアルソースが選択されていないときには、第２のスイッチ回路２００の出力するオーディオソースを選択してスピーカに出力する第３のスイッチ回路３００という回路構成を使って、出力対象となるビジュアルソースとオーディオソースとを選択するという構成を採っている。
【０００６】
これから、従来のＡＶ機器では、ビジュアルソースの映像をモニターに出力しているときに、そのビジュアルソースに関係しないオーディオソースの音をスピーカに出力できないことになる。
【０００７】
【発明が解決しようとする課題】
このように、従来のＡＶ機器では、ユーザがＴＶなどのビジュアルソースを選択すると、その選択されたビジュアルソースの映像をモニターに出力するとともに、その選択されたビジュアルソースの音をスピーカに出力するという構成を採っており、互いに関係しないビジュアルソースの映像とオーディオソースの音とを同時に出力するという機能を持っていない。
【０００８】
これから、従来のＡＶ機器に従っていると、ＴＶなどの映像を見るときに、それに関係しない音楽などの音を聞きたいというユーザの要求に応えられないという問題点がある。
【０００９】
本発明はかかる事情に鑑みてなされたものであって、互いに関係しない映像と音とを同時に出力するサイマルプレイを可能にする新たなＡＶ機器の提供を目的とする。
【００１０】
【課題を解決するための手段】
この目的を達成するために、本発明のＡＶ機器では、オーディオソースとビジュアルソースとを再生可能とするＡＶ機器において、サイマルプレイモードの設定を指示するボタン手段と、モニターに出力するビジュアルソースを選択する第１の切換手段と、上記第１の切換手段とは独立に動作して、スピーカに出力するオーディオソースを選択する第２の切換手段と、オーディオソースの選択が検出されるときに、サイマルプレイモードが設定されている場合には、上記第１の切換手段の選択するビジュアルソースに関係なく、上記第２の切換手段がその検出されるオーディオソースを選択するようにと制御する制御手段とを備え、上記制御手段は、ビジュアルソースの選択が検出されるときに、サイマルプレイモードの設定・非設定に関係なく、上記第１の切換手段がその検出されるビジュアルソースを選択するように制御するとともに、上記第２の切換手段がそのビジュアルソースに対応付けられるオーディオソースを選択するように制御する。
【００１２】
また、制御手段は、ビジュアルソースの選択が検出されるときに、サイマルプレイモードが設定されている場合には、サイマルプレイモードを強制的に解除することで、ユーザの操作に依らずにサイマルプレイモードを自動解除するように制御することがある。
【００１３】
そして、サイマルプレイモードが設定されているのか否かを表示するインジケータ手段を備えることがある。
【００１４】
このように構成される本発明のＡＶ機器では、制御手段は、ユーザによるオーディオソースの選択が検出されるときに、ボタン手段の操作によりサイマルプレイモードが設定されている場合には、第１の切換手段の選択するビジュアルソースに関係なく、第２の切換手段がその検出されるオーディオソースを選択するように制御する。
【００１５】
このようにして、本発明のＡＶ機器によれば、互いに関係しないビジュアルソースの映像とオーディオソースの音とを同時に出力するサイマルプレイが可能になる。
【００１６】
このとき、サイマルプレイモードが設定されているのか否かを表示するインジケータを備える構成を採ったり、ビジュアルソースの選択を優先して、サイマルプレイモードが設定されているときに、ビジュアルソースが選択されるときには、そのビジュアルソースの映像に合わせた音を出力するように制御したり、サイマルプレイモードを自動解除するという構成を採ることから、使いやすいユーザインタフェースを実現できるようになる。
【００１７】
【発明の実施の形態】
以下、車に搭載されるＡＶ機器に適用した実施の形態に従って本発明を詳細に説明する。
【００１８】
図１に、車に搭載される本発明のＡＶ機器のフロントパネルの一実施の形態を図示する。
【００１９】
この図に示すように、本発明のＡＶ機器のフロントパネルでは、メニューボタン、決定ボタン、カーソルボタン、電源ＯＮ／ＯＦＦ付ボリュームつまみ、ＦＭ／ＡＭ／ＣＤ／ＭＤ／ＴＶ／ＡＵＸなどのソース選択用ボタンといった従来のＡＶ機器が備えるボタンの他に、新たに、サイマルプレイモードの設定解除を指示するサイマルボタンを備える構成を採っている。
【００２０】
このサイマルボタンは、ノーマルプレイモードにあるときに、ユーザにより操作されるとサイマルプレイモードの設定を指示するとともに、サイマルプレイモードにあるときに、ユーザにより操作されるとノーマルプレイモードの設定を指示するように動作する。
【００２１】
更に、このサイマルボタンは、サイマルプレイモードにあるときには、その設定状態にあることをユーザに明示すべく、発光ダイオードなどにより点灯されるという構成が採られている。
【００２２】
図２に、本発明のＡＶ機器が本発明を実現するために備えるソース切換回路の一実施の形態を図示する。
【００２３】
この図に示すように、本発明のＡＶ機器では、ビジュアルソースを入力として、ＣＰＵ１からの指示に従ってユーザの希望するビジュアルソースを選択してモニター２に出力する第１のスイッチ回路６と、オーディオソースを入力として、ＣＰＵ１からの指示に従ってユーザの希望するオーディオソースを選択してアンプ４を介してスピーカ３に出力する第２のスイッチ回路７とで構成されるソース切換回路を備える構成を採っている。
【００２４】
ここで、図中に示すボタン５は、フロントパネルに備えられるボタン群を示している。
【００２５】
この第１及び第２のスイッチ回路６，７は、具体的には、図３に示すように、ＣＰＵ１上で走行するスイッチ回路制御プログラム１０の指示に応答して、ソース切換処理を実行する。
【００２６】
図４ないし図６に、スイッチ回路制御プログラム１０の実行する処理フローの一実施の形態を図示する。次に、この処理フローに従って、本発明のＡＶ機器が実行する処理について詳細に説明する。
【００２７】
スイッチ回路制御プログラム１０は、電源が投入されることで起動されると、図４ないし図６の処理フローに示すように、先ず最初に、ステップ１で、ユーザによりボタン５が操作されるのを待って、ユーザによりボタン５が操作されることを検出すると、ステップ２に進んで、ユーザのボタン操作が電源切断を指示しているのか否かを判断して、電源切断を指示していることを判断するときには、処理を終了する。
【００２８】
一方、ステップ２で、ユーザのボタン操作が電源切断を指示していないことを判断するときには、ステップ３に進んで、ユーザのボタン操作がサイマルプレイモードの設定を指示しているのか否かを判断する。すなわち、ノーマルプレイモードにあるときに、ユーザがフロントパネルのサイマルボタンを操作したのか否かを検出することで、ユーザがサイマルプレイモードの設定を指示したのか否かを判断するのである。
【００２９】
このステップ３の判断処理により、ユーザのボタン操作がサイマルプレイモードの設定を指示していることを判断するときには、ステップ４に進んで、ノーマルプレイモードを解除してサイマルプレイモードに設定し、続くステップ５で、サイマルボタンを点灯（インジケータをＯＮ）することで、ユーザに対してサイマルプレイモードにあることを通知してから、次のボタン操作を待つべくステップ１に戻る。
【００３０】
一方、ステップ３の判断処理により、ユーザのボタン操作がサイマルプレイモードの設定を指示していないことを判断するときには、ステップ６に進んで、ユーザのボタン操作がサイマルプレイモードの解除を指示しているのか否かを判断する。すなわち、サイマルプレイモードにあるときに、ユーザがフロントパネルのサイマルボタンを操作したのか否かを検出することで、ユーザがサイマルプレイモードの解除を指示したのか否かを判断するのである。
【００３１】
このステップ６の判断処理により、ユーザのボタン操作がサイマルプレイモードの解除を指示していることを判断するときには、ステップ７に進んで、サイマルプレイモードを解除してノーマルプレイモードに設定し、続くステップ８で、サイマルボタンを消灯（インジケータをＯＦＦ）することで、ユーザに対してノーマルプレイモードにあることを通知してから、次のボタン操作を待つべくステップ１に戻る。
【００３２】
一方、ステップ６の判断処理により、ユーザのボタン操作がサイマルプレイモードの解除を指示していないことを判断するときには、ステップ９に進んで、ユーザのボタン操作がビジュアルソースの選択を指示しているのか否かを判断する。すなわち、フロントパネルに設けられるＴＶボタンやＡＵＸボタンが操作されたのか否かを判断するのである。
【００３３】
このステップ９の判断処理により、ユーザのボタン操作がビジュアルソースの選択を指示していることを判断するときには、ステップ１０に進んで、第１のスイッチ回路６がその選択されたビジュアルソースを選択するように制御することで、その選択されたビジュアルソースの映像をモニター２に出力する。
【００３４】
続いて、ステップ１１（図５の処理フロー）で、第２のスイッチ回路７がその選択されたビジュアルソースの音の音源となるオーディオソースを選択するように制御することで、その選択されたビジュアルソースの音をスピーカ３に出力する。
【００３５】
すなわち、ユーザがビジュアルソースを選択するときには、サイマルプレイモード・ノーマルプレイモードに関係なく、その選択されたビジュアルソースの映像をモニター２に出力していくとともに、その選択されたビジュアルソースの音をスピーカ３に出力していくのである。
【００３６】
続いて、ステップ１２で、サイマルプレイモードに設定されているのか否かを判断して、サイマルプレイモードに設定されていることを判断するときには、ステップ１３に進んで、サイマルプレイモードを解除してノーマルプレイモードに設定し、続くステップ１４で、サイマルボタンを消灯（インジケータをＯＦＦ）することで、ユーザに対してノーマルプレイモードにあることを通知してから、次のボタン操作を待つべくステップ１に戻る。
【００３７】
すなわち、ユーザがビジュアルソースを選択するときに、サイマルプレイモードが設定されているときには、フロントパネルのサイマルボタンに依らずに、サイマルプレイモードを自動的に解除していくように処理するのである。
【００３８】
そして、ステップ１２で、サイマルプレイモードに設定されていないことを判断するとき、すなわち、ノーマルプレイモードに設定されていることを判断するときには、このステップ１３及びステップ１４の処理を省略する。
【００３９】
一方、ステップ９（図４の処理フロー）で、ユーザのボタン操作がビジュアルソースの選択を指示していないことを判断するときには、ステップ１５（図５の処理フロー）に進んで、ユーザのボタン操作がオーディオソースの選択を指示しているのか否かを判断する。すなわち、フロントパネルに設けられるＦＭボタンやＡＭボタンやＣＤボタンやＭＤボタンが操作されたのか否かを判断するのである。
【００４０】
このステップ１５の判断処理により、ユーザのボタン操作がオーディオソースの選択を指示していることを判断するときには、ステップ１６に進んで、サイマルプレイモードに設定されているのか否かを判断して、サイマルプレイモードに設定されていることを判断するときには、ステップ１７に進んで、第２のスイッチ回路７がその選択されたオーディオソースを選択するように制御することで、その選択されたオーディオソースの音をスピーカ３に出力していくように制御してから、次のボタン操作を待つべくステップ１に戻る。
【００４１】
すなわち、ユーザがオーディオソースを選択するときに、サイマルプレイモードに設定されているときには、モニター２に出力されるビジュアルソースの映像に関係なく、その選択されたオーディオソースの音をスピーカ３に出力していくのである。
【００４２】
一方、ステップ１６の判断処理により、サイマルプレイモードに設定されていないことを判断するとき、すなわち、ノーマルプレイモードに設定されていることを判断するには、ステップ１８に進んで、ビジュアルソースの映像を出力中であるのか否かを判断して、ビジュアルソースの映像を出力中であることを判断するときには、第２のスイッチ回路７に対して何も処理を行うことなく、次のボタン操作を待つべくステップ１に戻る。
【００４３】
すなわち、ユーザがオーディオソースを選択するときに、ノーマルプレイモードに従いつつビジュアルソースの映像を出力中であるときには、そのオーディオソースの選択を無視することで、出力中のビジュアルソースの音をそのままスピーカ３に出力していくのである。
【００４４】
一方、ステップ１８の判断処理により、ビジュアルソースの映像を出力中でないことを判断するときには、ステップ１９（図６の処理フロー）に進んで、第２のスイッチ回路７が選択されたオーディオソースを選択するように制御することで、選択されたオーディオソースの音をスピーカ３に出力していくように制御してから、次のボタン操作を待つべくステップ１に戻る。
【００４５】
すなわち、ユーザがオーディオソースを選択するときに、ノーマルプレイモードに従いつつオーディオソースの音のみを出力中であるときには、その選択されたオーディオソースの音をスピーカ３に出力していくのである。
【００４６】
一方、ステップ１５（図５の処理フロー）の判断処理により、ユーザのボタン操作がオーディオソースの選択を指示していないことを判断するときには、ステップ２０（図６の処理フロー）に進んで、ユーザが操作するボタンに応じた処理を実行してから、次のボタン操作を待つべくステップ１に戻る。
【００４７】
このようにして、スイッチ回路制御プログラム１０は、ユーザのボタン操作に応答して第１及び第２のスイッチ回路６，７を制御することで、ユーザの希望するビジュアルソースの映像やオーディオソースの音を出力していくように処理するのである。
【００４８】
図示実施の形態に従って本発明を説明したが、本発明はこれに限定されるものではない。例えば、実施の形態では、ビジュアルソースを選択するときに、サイマルプレイモードが設定されているときには、サイマルボタンの操作に依らずに、サイマルプレイモードを自動解除していくという構成を採ったが、サイマルプレイモードを自動解除していかないようにする構成を採ってもよい。
【００４９】
また、実施の形態では、フロントパネルに設けられるサイマルボタンを使って、サイマルプレイモードを設定したり解除したりするという構成を採ったが、サイマルプレイモードの設定を指示するボタンと、サイマルプレイモードの解除を指示するボタンとを別々に用意することで、サイマルプレイモードを設定したり解除したりするという構成を採ってもよい。
【００５０】
また、実施の形態では、サイマルボタンを点灯したり消灯したりすることで、サイマルプレイモードであるのか否かを示すインジケータを実現するという構成を採ったが、サイマルボタンとは別に用意してもよいし、モニター２にアイコン表示することなどで実現するという構成を採ってもよい。
【００５１】
【発明の効果】
以上説明したように、本発明のＡＶ機器によれば、互いに関係しないビジュアルソースの映像とオーディオソースの音とを同時に出力するサイマルプレイが可能になる。
【００５２】
このとき、サイマルプレイモードが設定されているのか否かを表示するインジケータを備える構成を採ったり、ビジュアルソースの選択を優先して、サイマルプレイモードが設定されているときに、ビジュアルソースが選択されるときには、そのビジュアルソースの映像に合わせた音を出力するように制御したり、サイマルプレイモードを自動解除するという構成を採ることから、使いやすいユーザインタフェースを実現できるようになる。
【００５３】
そして、ユーザは簡単なボタン操作によりサイマルプレイを実行できるようになることから、車に搭載されるＡＶ機器に適用する場合にも、ユーザは安全運転しながらサイマルプレイを楽しめるようになる。
【図面の簡単な説明】
【図１】本発明のＡＶ機器が備えるフロントパネルの一実施の形態である。
【図２】本発明のＡＶ機器が備えるソース切換回路の一実施の形態である。
【図３】スイッチ回路制御プログラムの説明図である。
【図４】スイッチ回路制御プログラムの実行する処理フローの一実施の形態である。
【図５】スイッチ回路制御プログラムの実行する処理フローの一実施の形態である。
【図６】スイッチ回路制御プログラムの実行する処理フローの一実施の形態である。
【図７】従来技術の説明図である。
【符号の説明】
１    ＣＰＵ
２    モニター
３    スピーカ
４    アンプ
５    ボタン
６    第１のスイッチ回路
７    第２のスイッチ回路
【図１】
0004487368.tif 000002
【図２】
0004487368.tif 000003
【図３】
0004487368.tif 000004
【図４】
0004487368.tif 000005
【図５】
0004487368.tif 000006
【図６】
0004487368.tif 000007
【図７】
0004487368.tif 000008